(57)【要約】【課題】  燃焼持続時間をより長いものにすると共に、炎によって舗装路面を痛めることが出来るだけ少なくなるようにする。【解決手段】  連結部１は、仕切り板１２によって前連結部１０と後連結部１１とに隔てられており、仕切り板１２の中央に炎の通り道１３が開口されており、その炎の通り道１３を燃焼持続が可能な隔壁１４が塞いでいる。このような構成の連結部１が、台座２と一体に固定的に設けられている。なお連結部と台座とが別体であって、両者を着脱自在とする構成も可能である。【選択図】図１
2018190359.tif 000002
【特許請求の範囲】
【請求項１】
発炎筒を連結して燃焼時間を長くするための連結具であって、両側に発炎筒の連結部を備えており、この連結部に炎の通り道が設けられており、かつ発炎筒の発炎口を路面から浮かせるための台座を備えている、発炎筒用の連結具。
【請求項２】
連結部に設けられた前記炎の通り道に、炎により燃えて炎を通すようになる隔壁を備えている、請求項１に記載の発炎筒用の連結具。
【請求項３】
前記連結部と前記台座とが一体に設けられている請求項１に記載の発炎筒用の連結具。
【請求項４】
前記連結部と前記台座とが着脱自在に設けられている請求項１に記載の発炎筒用の連結具。
【請求項５】
前記連結部が発炎筒の発炎口の側に被せるキャップである請求項１に記載の発炎筒用の連結具。
【請求項６】
前記連結部および前記台座が発炎筒が発する熱で熔ける素材または燃焼する素材から成る請求項１に記載の発炎筒用の連結具。
【請求項７】
請求項１乃至請求項６の何れか一に記載の連結具を備えた発炎筒。
【発明の詳細な説明】
【技術分野】
【０００１】  本発明は、発炎筒の燃焼を長時間可能にする発炎筒用の連結具や、この連結具を備えている発炎筒に関するものである。
【背景技術】
【０００２】  従来より高速道路上での事故のような緊急時などで発炎筒が用いられ、後続の自動車のドライバーへの注意喚起のためになくてはならないものとなっている。発炎筒は高速道路上に設置した時に大型車の強い走行風や車両による跳ね上げなどの影響を受けることが多く、一般的に円筒状であるために道路上を転がる問題が指摘されている。【０００３】  特許文献として上げる特開２００３−２４２５６５によれば、一般的な保安炎筒は直径が約２ｃｍ、長さが約１５ｃｍの円筒状の本体の中に火薬が装填されており、発火薬に点火して使用され、その火薬の燃焼は通常のものであれば５分程度持続すると言う。しかしながら一般的な発炎筒は、上述したように火炎を発している方を上にして立てることは容易でなく、多くの場合は点火された発炎筒が横置されたり転がったりして、火炎が直接路面に触れて、路面がダメージを受ける問題があった。この問題を解消すべく特開２００３−２４２５６５では、発炎筒の本体の周囲に支持アッセンブリが装着されているものとしている。すなわちこの支持アッセンブリは固定リング部分と６本の支持脚部分とからなっており、この６本の支持脚部分があるために道路上を転がりにくいものとなっている。
【先行技術文献】
【特許文献】
【０００４】
【特許文献１】特開２００３−２４２５６５号公報
【発明の概要】
【発明が解決しようとする課題】
【０００５】  特開２００３−２４２５６５によれば、６本の支持脚部分に転がり抑制の作用があるわけであるが、支持脚部分の素材のバリエーションに限定はない旨の記載に従って、これを合成樹脂製のものとした場合など、火炎が固定リング部分に至ってここを焼いた時には、転がり抑制の効果が失われてしまうのみならず、火炎によって舗装路面を痛めてしまうと言う問題を生ずる。また上述したように燃焼持続時間が短いと言う問題もある。【０００６】  そこでこの発明は、上述したような問題点を解決して、燃焼持続時間をより長いものにすると共に、炎によって舗装路面を痛めることができるだけ少なくなるようにすることを課題とする。
【課題を解決するための手段】
【０００７】  上記課題は、発炎筒を連結して燃焼時間を長くするための連結具であって、両側に発炎筒の連結部を備えており、この連結部に炎の通り道が設けられており、かつ発炎筒の発炎口を路面から浮かせるための台座を備えている、発炎筒用の連結具とすることにより達成される。２本の発炎筒は連結部によって１本の長い発炎筒に連結される。この際、前段となる発炎筒はその後端部から連結部に接続され、後段となる発炎筒はその前端部すなわち発火薬のある側から連結部に接続される。このようにして例えば１５分ものであれば燃焼時間は３０分と言うように２本分の長さの発炎筒が得られる。なお更に連結部を用いれば発炎筒の接続本数を増やすことが可能である。【０００８】  連結具によって長く連結された発炎筒では、前段の発炎筒が燃え尽きる頃になるとその後端部から発炎し、この炎は上記連結部の炎の通り道を通って、後段の発炎筒の発火薬に燃え移ることになる。このようにして燃焼持続時間が確実に２本分となる。なお前段の発炎筒の後端部から発炎するようになった時に、連結部に設けられた前記炎の通り道に、炎により燃えて炎を通すようになる隔壁を備えているものとしても良い。これは周知されている所の現状の法制に従った構成である。炎により燃えて炎を通すようになる隔壁の素材の好適な一例としてスチレンボードを挙げるが、これに限定されるものではない。【０００９】  さて、連結具は台座を備えており発炎筒の発炎口は路面から浮くことになるため、発炎筒の炎が路面に直接的に当たらず、炎によって舗装路面を痛めることが少なくなる。なお台座で発炎筒の炎と路面とが完全に遮られるような、そうした構成の台座を提供することも可能である。なおこの台座は発炎筒の転がり防止手段としての役割も担っている。【００１０】  この連結部と前記台座とは一体に設けられているものとすることが出来る。或いは連結部と台座とが着脱自在に設けられているものとしても良い。後者については連結具と台座とを同じ素材で構成することも、また異なる素材で構成することも可能である。【００１１】  次に、連結部が発炎筒の発炎口の側に被せるキャップであるものとすることが出来る。キャップは発炎口を保護するものであると共に、連結部として２本の発炎筒を１本の長い発炎筒に連結するものとなり便利である。【００１２】  次に、前記連結部および前記台座が発炎筒が発する熱で熔ける素材または燃焼する素材から成るものとしても良い。両者共に熱で熔ける素材から成るものに関しては、熔けたものが路面に貼り付くことが多く、路面に残ったものをスクレーパーなどでこそぎ落とす作業が必要となる場合がある。これはこれで良いのであるが、仮にこれを良しとしないのであれば両者共に熱で燃焼する素材から成るものとすれば良い。なお燃焼する素材から成るものとした場合は、ゴミを出さない利点もある。【００１３】  なお本願は発炎筒用の連結具に係る発明であるが、このような連結具を備えた発炎筒に付いても本発明の権利が及ぶものとする。
【発明の効果】
【００１４】  本発明によれば、両側に発炎筒の連結部を備えており、この連結部に炎の通り道が設けられており、かつ発炎筒の発炎口を路面から浮かせるための台座を備えている発炎筒用の連結具としたので、複数本の発炎筒が連結されて１本の長い発炎筒となり、燃焼持続時間がより長いものになると共に、炎によって舗装路面を痛めることが少なくなると言う効果を奏して所期目的を達成している。なお連結部をキャップとした場合にはこのキャップで発炎口を保護することが出来る。また連結具を発炎筒が発する熱で燃焼する素材により構成したものでは、燃焼によってゴミとして出る分をより少なくすることが出来る。
【図面の簡単な説明】
【００１５】
【図１】  実施例１を平面視した説明図である。
【図２】  実施例１を側面視した説明図である。
【図３】  実施例１の使用状態の説明図である。
【図４】  実施例２の使用状態の説明図である。
【図５】  実施例３の使用状態の説明図である。
【図６】  実施例４を正面視した説明図である。
【発明を実施するための形態】
【実施例１】
【００１６】  本実施例を図１乃至図３で表す。連結部１と台座２とが一体に設けられたものである。この連結部１の部分は、発炎筒３の前端部の発火薬３２が設けられた発炎口３０の付近をカバーするためのキャップともなっている。【００１７】  円筒形状の連結部１は、その内部の仕切り板１２によって前連結部１０と後連結部１１とに隔てられており、仕切り板１２の中央に炎の通り道１３が開口されていると共に、その炎の通り道１３をスチレンボード製の隔壁１４が塞いでいる。このような構成の連結部１が一体に取り付けられているのが、次に説明する台座２である。この台座２は連結部１の部分を路面から浮かせるものであり、また発炎筒３の全長の半分ほどの長さを有している。台座２はその左右に側壁２０と側壁２１があり、その前後に前壁２２と後壁２３とがあり、また連結部１を受ける底部２４があるものである。また左右の側壁２０と側壁２１との間には補強部２５が設けられている。この補強部２５も上記前壁２２も、発炎筒３を受け得るように半円状の溝が形成されている。なお底部２４には、発炎筒３の発火薬３２を擦るためのすり紙２６が取り付けられている。【００１８】  次に台座２と一体である連結部１は、前連結部１０の側から発炎筒３の発炎口３０の側にキャップとして被せられている（図１）。この使用法に当たっては一旦連結部１を発炎筒３の発炎口３０から外して、発火薬３２をすり紙２６に擦り付けて発炎筒３に着火させてから、前連結部１０の側に発炎筒３の後端部３１の側を挿し込むようにする（図２）。その後台座２から路面に置くようにすることで、発炎口３０から炎Ｆを吹いている発炎筒３を路面から浮かせて設置することが出来る。従って舗装路面を炎によって痛めることが少なくなる効果を奏する。【００１９】  さて上述した使用法は発炎筒３を１本で使用する場合に付いてのものであるが、本発明の主眼は燃焼持続時間をより長くすることにある。そこで上記の連結部（キャップ）１が被せられている発炎筒３を２本使用する。この２本の発炎筒３を繋げて長い１本の発炎筒にする際のより効率的な手順であるが、前段となる発炎筒３から台座２付きの連結部１を外し、この台座２付きの連結部１の向きを１８０度変えて、連結部１の前連結部１０の側から発炎筒３の後端部３１の側に確実に挿し込むようにする。次に後段となる発炎筒３から台座２付きの連結部１を外して、この発炎筒３の発炎口３０の側から、上述の前段となる発炎筒３の後端部３１に取り付けられた連結部１の後連結部１０にしっかりと挿し込むようにする。この状態で炎の通り道１３は前段となる発炎筒３の後ろにあり、ここをスチレンボード製の隔壁１４が塞いでいることになる。【００２０】  次に、上述のようにして繋いだ２本の発炎筒３に上記接続部分の辺りを握り、先に後段となる発炎筒３から外した台座２付きの連結部１を以て、そのスリ板２６に前段となった発炎筒３の発火薬３２を擦り付けて前段の発炎筒３に着火させてから、スリ板２６を使ったその連結部１の前連結部１０の側から、後段となった発炎筒３の後端部３１の側に強く挿し込むようにする。この時には台座２の接地面の向きを、２本の発炎筒３を繋いでいる連結部１の台座２の接地面の向きに合わせ��ようにすることが肝要である（図３）。なおこの際に前段の発炎筒３から炎が出ているので、細心の注意を払うようにする。【００２１】  このようにして繋いだ２本の発炎筒３を路面上に寝かせるようにして設置する。発炎筒３は２本共に各々の台座２によって路面から浮くようになるため、舗装路面を炎によって痛めることが少なくなる効果がある。また前段の発炎筒３の火薬が燃え尽きる頃には後方に炎が出るが、この炎は上記スチレンボード製の隔壁１４を燃やして、仕切り板１２の中央にある炎の通り道１３から後段の発炎筒３の発炎口３０に設けた発火薬３２へと燃え移り、この後は後段の発炎筒３が燃焼を継続することになる。従って燃焼持続時間がより長いものとなる。
【実施例２】
【００２２】  本実施例は図４に表した通りその殆どの構成を上述した実施例１の構成に倣うものであるが、実施例１では台座２が発炎筒３の全長の半分ほどの長さを有していたのに対して、実施例２では台座２７が発炎筒３のおよそ全長分を占めている点で異なる。なお連結部１と台座２７とは一体に設けられている。【００２３】  このため燃焼持続時間をより長くすべく２本の発炎筒３を連結部１で繋ぐと、発炎筒３はほぼ全長に亘って路面から隔離されるようになり（図４）、舗装路面を炎によって痛めることが更に少なくなると言う効果がある。
【実施例３】
【００２４】  本実施例を図５（Ａ）（Ｂ）の正面視で表す。連結部（キャップ）４と台座５とが着脱自在に設けられている点に特徴を有する。この連結部４の部分は、発炎筒の発火薬がある発炎口の付近をカバーするためのキャップともなっている。なお連結部４も台座５も共にポリエチレンを配合した原料を使用しており、このため発炎筒の燃焼と共に連結部４も台座５も殆ど全てが燃えてしまい、ゴミとして出難いと言う利点がある。【００２５】  連結具４は前連結部４０とその背後の、仕切り板４１で隔てられた後連結部とから成るものであって、仕切り板４１の中央に開口した炎の通り道４２をスチレンボード製の隔壁４４で塞いだものとなっている。また連結部４は、前連結部４０から後連結部へ掛けて、連結部４の左右壁面の回転対称の位置に、後述する台座５の掛止部５１に掛止するための掛止片４３を備えている。また連結部４の下端部には、後述する台座５の左右の側壁５０に嵌め込まれて台座５の底部５２に接触する嵌め板４５が設けられている。この構成によって連結部４を台座５と安定的に一体化させることが出来る。【００２６】  その台座５であるが、図５には表れていないが発炎筒３の全長の半分ほどの長さを有しており、左右の側壁５０の頂部には上記連結部４の左右の掛止片４３を受けるための掛止部５１が形成されている。【００２７】  連結部４と台座５とは着脱自在であるため、連結部４を発炎筒の発火薬がある発炎口の付近をカバーするためのキャップとして使用する際には、連結部４を台座５から外しておけば良い（図５（Ｂ））。そして燃焼持続時間をより長くすべく２本の発炎筒を連結部４で繋ぐ際には、連結部４を台座５と一体化させるのであるが（図５（Ａ））、台座５があることによって発炎筒の炎が舗装路面を痛め難くなる効果が得られる。
【実施例４】
【００２８】  本実施例を図６で表すが、この連結部（キャップ）６は、その下端部に台座６３を一体に備えている点に特徴を有する。すなわち連結部６は前連結部６０とその背後の、仕切り板６１で隔てられた後連結部とから成り、この仕切り板６１の中央に開口した炎の通り道６２をスチレンボード製の隔壁６４で塞いだものとなっている。ここが本発明で言う所の連結部である。なお台座６３は軽量化のために中空としたがこれに拘るものではない。【００２９】  上述したように実施例１では台座２が発炎筒３の全長の半分ほどの長さを有しており、実施例２では台座２７が発炎筒３のおよそ全長分を占めていた。これに対して本実施例では、台座６３の長さがこれ等よりも短いものとなっており、ほぼ連結部６の長さである。それでも発炎筒を路面から浮かせることが出来る効果には大きいものがある。なお連結部６と台座６３とが一体であるにも関わらず、実施例３のように連結部４をキャップとして使用する際に連結部４を台座５から外しておくようなことは、本実施例では不要である。
【産業上の利用可能性】
【００３０】  本発明の思想によれば、連結部と台座とを備えていれば、発炎筒を何本繋げようが自由である。従って例えばイベント会場のディスプレイ等として使用することが可能である。このような用途に於いても、会場の舗装面を痛めてしまうようなことが少ないと言う利点を活かすことが出来る。
【符号の説明】
【００３１】１  ：連結部（キャップ）
１０：前連結部
１１：後連結部
１２：仕切り板
１３：炎の通り道
１４：隔壁
２  ：台座
２０：側壁
２１：側壁
２２：前壁
２３：後壁
２４：底部
２５：補強部
２６：すり紙
２７：台座
３  ：発炎筒
３０：発炎口
３１：後端部
３２：発火薬
４  ：連結部（キャップ）
４０：前連結部
４１：仕切り板
４２：炎の通り道
４３：掛止片
４４：隔壁
４５：嵌め板
５  ：台座
５０：側壁
５１：掛止部
５２：底部
６  ：連結部（キャップ）
６０：前連結部
６１：仕切り板
６２：炎の通り道
６３：台座
６４：隔壁
【図１】
2018190359.tif 000003
【図２】
2018190359.tif 000004
【図３】
2018190359.tif 000005
【図４】
2018190359.tif 000006
【図５】
2018190359.tif 000007
【図６】
2018190359.tif 000008